(57)【要約】【課題】木造建物において、布基礎から土台への地震による振動力の伝達を低減し建物全体の揺れを小さくでき、家具転倒や建物の崩壊を防止し、安全性、居住性の向上を図る。【解決手段】布基礎１４と土台１との間に、地震力で横方向の動きを抑制する働きをもつ免振ゴムと荷重を支え土台が一定の巾を自由に横方法に滑動できる働きをもつ金物とが一体となって働く免振装置を多数介在させた免振基礎構造とする。【選択図】  図１
2008063720.tif 000002
【特許請求の範囲】
【請求項１】
地震から建物を守る為に木造住宅の布基礎と土台との間に免新装置を介在させることを特長とした免振基礎構造
【請求項２】
免振装置の、上部金物と下部金物との間の免振ゴムで地震力の水平方向の動きを制限し元に戻そうとする働きをもつ免振ゴムと、建物の荷重を支え土台が水平方向に一定の巾を自由に滑動できる働きをもつ上下の金物の滑動装置とが一体となって働く免振装置を介在させることで地震力が低減され、ほとんど基礎から直接土台に地震力が伝達しない免振基礎構造
【請求項３】
免振装置は、基礎緊結用のアンカーボルトと土台緊結用のアンカーボルトによりそれぞれ上下別々の金物を布基礎と土台に緊結固定する。それぞれ上下のアンカーボルトは縁が切れていることで地震力が基礎から直接土台に伝達しない免振基礎構造
【発明の詳細な説明】
【技術分野】
【０００１】
本発明は、一般個人住宅など木造建築物の免振装置及び免振基礎構造に関するものです。
【背景技術】
【０００２】
従来例の一般個人住宅など木造建築物の基礎構造は、図５に示すように一般的には布基礎の上に土台を直接載せて基礎と土台をアンカーボルトで緊結しその土台の上に柱を建てる。その為、地震力がそのまま土台に伝達される技術です
【発明の開示】
【発明が解決しようとする課題】
【０００３】
解決しようとする課題は、図５の布基礎７Aの上に土台４Aを直接緊結した場合、地震力が布基礎から直接土台４Aに伝達し、さらに柱６A、梁、筋違いへ伝達し建物全体が振動し建物が破壊され、さらに崩壊建物の下敷きとなって尊い人命が失われるおそれがある。
本発明の目的は、前記、従来例の不都合を解消し布基礎から土台への地震による振動力の伝達を低減し建物全体の揺れを小さくして、家具の転倒や建物の崩壊を防止し、安全性、居住性の向上を図れる木造建築物の免震装置及び免振基礎構造を提供することです。
【課題を解決するための手段】
【０００４】
請求項１記載の本発明によれば、前課題を達成するため、地震から建物を守る為に木造住宅の布基礎と土台との間に免新装置を介在させる事を特長とした免振基礎構造です。
【０００５】
請求項２記載の本発明によれば、前課題を達成するため、免振装置は上部金物と下部金物との間に地震力で水平方向の動きを制限し元に戻そうとする働きをもつ免振ゴムと、荷重を支え土台が水平方向に一定の巾を自由に滑動できる働きをもつ上下の金物の滑動装置とが一体となって働く免振装置を介在させることで地震力が低減されほとんど基礎から直接土台に地震力が伝達しない免振基礎構造です。
【０００６】
請求項３記載の本発明によれば、前課題を達成するため、免振装置はそれぞれ上下別個の金物を基礎緊結用のアンカーボルトと土台緊結用のアンカーボルトで布基礎と土台とに緊結固定する。それぞれの金物のアンカーボルトは縁が切れていることで地震力が基礎から直接土台に伝達しない免振基礎構造です。
【発明の効果】
【０００７】
請求項１記載本発明によれば、免振装置は布基礎の上に免振装置を介在させた免振基礎構造とすることで建物の基礎の全体構造を大きく変更しなくてすみ、在来工法にそのまま対応できます。
【０００８】
請求項２、３記載の本発明によれば、前記作用に加えて、免振装置は上部金物と下部金物との間に地震力で水平方向の動きを制限し元に戻そうとする働きをもつ免振ゴムと、荷重を支え土台が水平方向に一定の巾を自由に滑動できる働きをもつ上下の金物の滑動装置とが一体となって働く免振装置を介在させること、免震装置の上下の金物をそれぞれ別のアンカーボルトで布基礎と土台とに緊結固定する、上下の金物のアンカーボルトは縁が切れていることで、地震力が基礎から直接土台に伝達しない免振基礎構造です。
【０００９】
以上述べたように、本発明による免振ゴム及び滑動装置とが一体となった免振装置を介在させた免振基礎構造とすることで従来例の不都合を解消し布基礎から土台への地震による振動力の伝達を低減し建物全体の揺れを小さくして、家具の転倒や建物の崩壊を防止し、安全性、居住性の向上を図れる木造建築物の免振基礎構造を提供することです。
【発明を実施するための最良の形態】
【００１０】
図１は、本発明装置を活用できる木造建築物の免振基礎構造の実施形態を示す横断側面図であって、根切り底に割栗石を敷き固め、この上に捨てコンクリートを打設して表面を平坦にし、さらにこの上に基礎コンクリートを打設して布基礎１４を形成し、この布基礎１４の上に免振装置（下部金物３・上部金物５・免振ゴム４・図３滑動部分１５が一体）を介在させてその上に角材による土台１を緊結固定します。
【００１１】
図１に示すように、下部金物３、上部金物５は、アンカーボルト９とアンカーボルト１２により布基礎と土台に緊結固定する。図３の下部金物３の滑動部分１５と上部金物５の６の下側の接する部分により建物の荷重を支え、図３の下部金物３の滑動部分１５と上部金物５の６の接する部分に水平方向の地震力を低減させ建物に伝達しない働きにするための滑動部分１５を設ける滑動部分の上面には粘性度の高い（潤滑油又はグリースオイル）１６を充填しておき、滑動部分１５は１３に囲まれていて潤滑油又はグリースオイルが枯渇しない構造とします。
【００１２】
図３の免振ゴム４の材質は、天然ゴムでこの免振ゴムは地震力を吸収するものとして水平方向に柔軟な特性を有している。例えば重量の小さい木造住宅の固有振動周期の数倍の固有振動周期を有する特性を備える。図３の免振ゴム４は下部金物３、上部金物５に接着剤及びボルトにより固定され水平方向の地震力を低減させる働き及び、水平方向に移動した土台を元の位置に戻そうとし、且つ土台の浮上りを防止します。
【００１３】
図３の下部金物３，上部金物５が一体となった免振装置は、図１布基礎１４の上に、そって全長に固定されるものとして、図３に示すように短尺の長さの免震装置、直線、コーナー用など図２に示すように各種の免振装置を用意します。
【００１４】
免振装置は、亜鉛ドブ付けなどにより防錆処理を施しておきます。
【産業上の利用可能性】
【００１５】
設備機器などの下に免振装置として応用できます。それから従来の耐震構造及び制震
構造とこの技術を併用することもできます。
【図面の簡単な説明】
【００１６】
【図１】布基礎と土台との間に設置された免振装置の横断側面図です
【図２】布基礎の上に設置される免振装置、直線部、コーナー部の上部斜視図です。
【図３】直線部、コーナー部に設置される免振装置（下部金物、上部金物、免振ゴム）です。
【図４】直線部に設置される免振装置です
【図５】従来の布基礎です。
【符号の説明】
【００１７】
４A．土台
６A．柱
下部金物
免振ゴム
上部金物
上部金物（縦、横方向の建物荷重を支える、滑動装置）
１０．パッキン
１１．ナット
１２．アンカーボルト
１３．下部金物（横方向の荷重を支える、滑動部分を囲む、）
１４．７A．布基礎
１５．滑動部分（縦方向の荷重を支える）
１６．潤滑油、グリースオイル
１７．１８．１９．ボルト孔
１A．割栗石
２A．捨てコンクリート
３A．ベースコンクリート
図５  ５A．アンカーボルト
【図１】
2008063720.tif 000003
【図２】
2008063720.tif 000004
【図３】
2008063720.tif 000005
【図４】
2008063720.tif 000006
【図５】
2008063720.tif 000007